(57)【要約】【課題】  一定の摩擦に抗しながらロープ材がスムーズに摺動することができるロープ用定着装置を提供する。【解決手段】  ロープ材５を挿通させる開口部８を有する底壁６と、底壁６に一端が接続され内周面にロート状の傾斜面９を有する周壁７と、を有する外筒２と、  内周面がロープ材５を収容可能な凹面１１を有し、外周面が外筒２のロート状傾斜面９と傾斜がほぼ整合する概略テーパー状の面１２になっている楔体３と、  外筒の周壁と係合する係合部１５を有する封止部材４とを備えたロープ用定着装置において、  楔体３は、ロープ材の長さ方向に平行な方向にスリット１３が形成され、かつ、大径側の端部の内周面は、大径側端に向かって内径が拡開する円弧面１４になっている。【選択図】  図１
2006336705.tif 000002
【特許請求の範囲】
【請求項１】
ロープ材を挿通させる開口部を有する底壁と、前記底壁に一端が接続され内周面にロート状の傾斜面を有する周壁と、を有する外筒と、
内周面が前記ロープ材を収容可能な凹面を有し、外周面が前記外筒の周壁内周面と傾斜がほぼ整合する概略テーパー状の面になっている楔体と、
前記外筒の周壁と係合する係合部を有する封止部材とを備えたロープ用定着装置において、
前記楔体は、ロープ材の長さ方向に平行な方向にスリットが形成され、かつ、大径側の端部の内周面は、大径側端に向かって内径が拡開する傾斜面あるいは円弧面になっていることを特徴とするロープ材用定着装置。
【請求項２】
前記楔体のスリットは楔体の大径側端から小径側端に向かって所定距離形成され、前記楔体の小径側端部は平滑な環状内周面を有している、ことを特徴とする請求項１記載のロープ材用定着装置。
【請求項３】
前記楔体のスリットは、楔体の大径側端から小径側端に向かって開設されたスリットと、楔体の小径側端から大径側端に向かって開設されたスリットが、周方向に所定の間隔をおいて設けられている、ことを特徴とする請求項１記載のロープ材用定着装置。
【請求項４】
前記楔体が、前記外筒とロープ材の間に装着され、前記外筒のロート状に傾斜した内周面の小径側に向かって所定距離圧入されたときに、前記楔体のスリットは少なくとも楔体の大径側端部においては前記ロープ材の鋼線の直径以下に狭まるように構成されている、ことを特徴とする請求項１記載のロープ材用定着装置。
【請求項５】
前記外筒の周壁の内周面の傾斜面の小径側端部、あるいは、前記外筒の底壁の開口部には、前記楔体を係止する係止部が形成されている、ことを特徴とする請求項１〜４のいずれかに記載のロープ材用定着装置。
【請求項６】
前記楔体のスリットの内端の端面と楔体の内周面の交差部は、傾斜面あるいは円弧面に形成されていることを特徴とする請求項１〜５のいずれかに記載のロープ材用定着装置。
【請求項７】
前記楔体の厚さおよび前記楔体のスリットの距離は、前記楔体を前記外筒に圧入するときに前記楔体の小径端部が前記外筒の内周面に形状が整合可能なように設定されていることを特徴とする請求項２に記載のロープ材用定着装置。
【請求項８】
前記楔体のスリットは、ロープ材の長さ方向に対して傾斜して形成されていることを特徴とする請求項１〜７のいずれかに記載のロープ材用定着装置。
【請求項９】
前記封止部材は、前記楔体を前記外筒の内部に封止するための封止部を有していることを特徴とする請求項１〜８のいずれかに記載のロープ材用定着装置。
【発明の詳細な説明】
【技術分野】
【０００１】
本発明は、ワイヤロープ、ＰＣ鋼線、ＰＣ鋼の撚り線等の各種のロープ材（本明細書ではこれらをまとめて「ロープ材」という）を安定した一定の力で把持するロープ用定着装置に関する。
【０００２】
特に、本発明は、ロープ用定着装置がロープ材を把持しながら摺動するときに、ロープ材の撚り線が破断しないようにしたロープ用定着装置に関する。
【背景技術】
【０００３】
一般に、ロープ材を一定の力で把持し、あるいは完全に拘束するする定着装置として、楔定着式のロープ用定着装置が知られている。
【０００４】
従来から、円錐状の内周面を有する筒体にロープ材を挿通させ、ロープ材と前記筒体の内周面の間に断面楔状の楔体を挿入する楔定着式のロープ用定着装置が知られている。
【０００５】
アンカー等のロープ材を完全に拘束するロープ用定着装置は、楔体をロープ材に固定し、ロープ材が筒体の円錐状の内周面の小径側に向かって摺動しようとすると、楔体が筒体に当接し、ロープ材を完全に拘束する。
【０００６】
これに対して落石や雪崩や車両等の衝突エネルギーを吸収する緩衝用のロープ用定着装置は、楔体とロープ材が相対的に摺動可能に構成され、ロープ材が筒体の円錐状の内周面の小径側に向かって摺動すると、断面楔状の楔体がロープ材と筒体の内周面の間の狭い隙間に入り込み、より強い力でロープ材を圧縮する。しかし、楔体とロープ材が相対的に摺動可能に構成されているため、ロープ材が摩擦力に抗して楔体に対して摺動し、その摺動の過程で衝突エネルギーが吸収される。
【０００７】
従前のロープ用定着装置は、ロープ材の長さ方向に垂直な方向の楔体の横断面が、円弧状の断面になっていた。かかる横断面は、曲げに対して高い剛性を有している。
【０００８】
そのため、ロープ材が筒体の円錐状の内周面の小径側に向かって摺動し、楔体が外筒の奥に進むときに、楔体が外筒の円錐状の内周面の形状変化に追従せず、破損等する問題があった。
【０００９】
これに対して、本願出願人は、先に可撓性を有し、外筒の円錐状の内周面の形状変化に追従する楔体を有するロープ用定着装置を開発した（特開２００４−３６０１２１号）。
【００１０】
特開２００４−３６０１２１号に係る技術は、外周面がテーパー状を呈し、内周面にロープ材を収容可能な凹面を有する楔体と、該楔体を挿入するテーパー孔を有するロープ用定着装置において、楔体の内周面に軸方向の内溝や楔体の周壁に軸方向にスリットを設けたものである。
【００１１】
この特開２００４−３６０１２１号に係るロープ用定着装置によれば、楔体の内周面に軸方向の内溝を設けている場合は、内溝の存在によって楔体の横断面が湾曲し易いため、楔体が外筒のテーパー孔の奥に進むときに、楔体が外筒のテーパー孔内周面の形状変化に追従する利点を有する。
【００１２】
また、楔体に軸方向のスリットを設けている場合は、スリットの存在によって楔体の横断面が周方向に変形し、楔体が外筒のテーパー孔の奥に進むときに、楔体が外筒のテーパー孔内周面の形状変化に追従する利点を有する。
【００１３】
特開２００４−３６０１２１号記載の技術は上記内溝とスリットとを適宜組み合わすことができるようになっている。
【特許文献１】特開２００４−３６０１２１号公報
【発明の開示】
【発明が解決しようとする課題】
【００１４】
しかし、特開２００４−３６０１２１号公報に記載された技術は、ロープ材が楔体に対して摺動している途中で、ロープ材が楔体に引っかかり、摺動が停止し、ロープ材が損傷することがあった。
【００１５】
本願出願人は、上記ロープ材の摺動停止の現象を様々な角度から検討し、ロープ材の損傷がロープ材を構成する一部の鋼線の係止と破断に始まり、損傷が累進的に進行することに原因があることを見いだした。
【００１６】
ロープ材は、径の小さい鋼線が、数多く撚り合わされて形成されている。
【００１７】
ロープ材が楔体に対して摺動しているときは、ロープ材が楔体によって周囲から圧縮された状態で摺動するため、楔体に入る前にロープ材の外周に位置している鋼線が浮き上がる傾向にある。これらの浮き上がった鋼線が、楔体の進入口部分（楔体の大径側端の内周面）に引っかかって破断し、これによってロープ材表面が平滑でない形状になってさらに他の鋼線も破断するようになる。つまり、ロープ材の一部の鋼線が楔体に引っかかると、鋼線の破断が累進的に進行するのである。
【００１８】
楔体の内周面の内側に入ったロープ材でも鋼線が破断することがある。
【００１９】
楔体の内周面に入ったロープ材は周囲から圧縮を受けるため、鋼線がわずかな隙間に入り込むようになる。
【００２０】
特開２００４−３６０１２１号公報に記載された技術では、楔体の内周面に内溝やスリットが設けられている。
【００２１】
このため、ロープ材の鋼線が内溝やスリットに入り込み、場所によっては鋼線が摺動できないほど内溝やスリットと係合することがある。
【００２２】
いったん一部の鋼線が楔体の内溝やスリットと係合して摺動できなくなったり、さらにそれらの鋼線が破断したりすると、他の鋼線が連鎖的に破断し、ロープ材が摺動不能になる。
【００２３】
本願出願人は、楔体に対してロープ材が摺動不能になることを防止するためには、摺動時におけるロープ材の鋼線の挙動に注目し、鋼線が楔体に引っかかることを防止しなければならないとの知見を得るに至った。
【００２４】
本願発明が解決しようとする課題は、ロープ材の鋼線が楔体に引っかかるのを防止し、一定の摩擦に抗しながらロープ材がスムーズに摺動することができるロープ用定着装置を提供することにある。
【課題を解決するための手段】
【００２５】
本発明によるロープ材用定着装置は、
ロープ材を挿通させる開口部を有する底壁と、前記底壁に一端が接続され内周面にロート状の傾斜面を有する周壁と、を有する外筒と、
内周面が前記ロープ材を収容可能な凹面を有し、外周面が前記外筒の周壁内周面と傾斜がほぼ整合する概略テーパー状の面になっている楔体と、
前記外筒の周壁と係合する係合部を有する封止部材とを備えたロープ用定着装置において、
前記楔体は、ロープ材の長さ方向に平行な方向にスリットが形成され、かつ、大径側の端部の内周面は、大径側端に向かって内径が拡開する傾斜面あるいは円弧面になっていることを特徴とする。
【００２６】
前記楔体のスリットは楔体の大径側端から小径側端に向かって所定距離形成され、前記楔体の小径側端部は平滑な環状内周面を有しているようにすることができる。
【００２７】
前記楔体のスリットは、楔体の大径側端から小径側端に向かって開設されたスリットと、楔体の小径側端から大径側端に向かって開設されたスリットが、周方向に所定の間隔をおいて設けられている、ようにすることができる。
【００２８】
前記楔体が前記外筒とロープ材の間に装着され、前記外筒のロート状に傾斜した内周面の小径側に向かって所定距離圧入されたときに、前記楔体のスリットは少なくとも楔体の大径側端部においては前記ロープ材の鋼線の直径以下に狭まるように構成されている、ようにすることができる。
【００２９】
前記外筒の周壁の内周面の傾斜面の小径側端部、あるいは、前記外筒の底壁の開口部には、前記楔体を係止する係止部が形成されている、ようにすることができる。
【００３０】
前記楔体のスリットの内端の端面と楔体の内周面の交差部は、傾斜面あるいは円弧面に形成されているようにすることができる。
【００３１】
前記楔体の厚さおよび前記楔体のスリットの距離は、前記楔体を前記外筒に圧入するときに前記楔体の小径端部が前記外筒の内周面に形状が整合可能なように設定されている、ようにすることができる。
【００３２】
前記楔体のスリットは、ロープ材の長さ方向に対して傾斜して形成されている、ようにすることができる。
【００３３】
前記封止部材は、前記楔体を前記外筒の内部に封止するための封止部を有するようにすることができる。
【発明の効果】
【００３４】
本発明によるロープ材用定着装置は、ロープ材を挿通させ内周面にロート状の傾斜面を有する外筒と、内周面がロープ材を収容可能な凹面を有し外周面が前記外筒の傾斜面と整合するテーパー状の面になっている楔体とを有する。
【００３５】
前記楔体は、スリットを有し、かつ、大径側の端部の内周面は、大径側端に向かって内径が拡開する傾斜面あるいは円弧面になっている。
【００３６】
これにより、ロープ材が定着装置に対して摺動しているときに、楔体に入る前にロープ材の外周の浮き上がった鋼線が、楔体進入口の内側の傾斜面あるいは円弧面に案内され、楔体に引っかかることなく楔体の内部に進入することができる。
【００３７】
これにより、楔体進入口の内側部分において、一部の鋼線が係止・破断することよってロープ材の摺動不良や大規模な鋼線の破断に進展することが防止され、所定の摩擦力に抗してスムーズに摺動するロープ用定着装置を得られる。
【００３８】
なお、本発明によれば、楔体がスリットを有するため、楔体が外筒のロート状の内周面の小径部側に進入するときに、楔体が外筒のロート状の内周面の形状変化に追従して変形（縮径）し、ロープ材の外周から均等な力でロープ材を圧縮・把持することができる。
【００３９】
本発明のロープ用定着装置は、楔体のスリットが楔体の大径側端から小径側端に向かって所定距離形成され、楔体の小径側端部が平滑な環状内周面を有している。
【００４０】
本発明によれば、環状内周面が楔体の小径側端部に位置しているため、ロープ材が最も強く圧縮を受ける部分においてスリットや内溝が存在せず、鋼線がスリットや内溝に係止することない。
【００４１】
さらに、平滑な環状内周面は、摺動する鋼線をロープ材の中心部に案内することができ、上流側でスリットに入り込んだ鋼線をスリットから脱出させる作用を有する。
【００４２】
このため、鋼線がスリットと係合する可能性が低減され、ロープ材に対してスムーズに摺動することができるロープ用定着装置を実現することができる。
【００４３】
この発明によれば、ロープ材の摺動によって鋼線が楔体に入るところでは鋼線がテーパー面や傾斜面によって案内されて楔材の内部にスムーズに入り込み、楔体から出るところでは平滑な環状内周面によって鋼線がスムーズに滑出し、これらの相互の作用によってロープ材がスムーズに摺動することができるロープ用定着装置を実現することができる。
【００４４】
本発明は、楔体の大径側端から小径側端に向かって開設されたスリットと、楔体の小径側端から大径側端に向かって開設されたスリットを設けることができる。
【００４５】
このような形態のスリットを有するロープ用定着装置であっても、楔体の大径側の端部の内周面を傾斜面あるいは円弧面に形成することができる。この発明によっても、鋼線をスムーズに楔体内部に進入させることができる。
【００４６】
本発明は、楔体が外筒のロート状に傾斜した内周面の小径側に向かって所定距離圧入されたときに、楔体のスリットが少なくとも楔体の大径側端部においてロープ材の鋼線の直径以下に狭まるように構成されている。
【００４７】
本発明によれば、楔体が外筒の内部に押し込まれ、スリットが少なくとも楔体の大径側端部においてロープ材の鋼線の直径以下に狭まり、鋼線がスリットに進入するのを防止することができる。
【００４８】
これにより、摺動時に鋼線がスリットの間に入り込んで引っかかることを防止し、ロープ材に対してスムーズに摺動することができるロープ用定着装置を実現することができる。
【００４９】
本発明は、外筒の内周面の傾斜面の小径側端部、または、底壁の開口部に楔体を係止する係止部が形成されている。
【００５０】
本発明によれば、係止部の高さ、すなわちロープ材の長さ方向と平行な方向の距離を適切に設定することにより、楔体が外筒の内部に一定の距離進入した後は、係止部と係合して停止し、所定の力でロープ材を把持することができる。これにより、楔体は一定の摩擦抵抗でロープ材を摺動させることができる。
【００５１】
本発明は、楔体のスリットの内端の端面と楔体の内周面の交差部は、傾斜面あるいは円弧面に形成されている。
【００５２】
本発明によれば、ロープ材の摺動中に楔体のスリットの間に入り込んだ鋼線が、スリットの内端でスリットから出るときに、スリットの内端の端面と楔体の内周面の交差部が傾斜面あるいは円弧面に形成されていることにより、スムーズにスリットから抜け出ることができる。
【００５３】
これにより、鋼線がスリットの間に入り込んで引っかかることを防止し、ロープ材に対してスムーズに摺動することができるロープ用定着装置を実現することができる。
【００５４】
本発明は、楔体を外筒に圧入するときに楔体の小径端部が外筒の内周面に形状が容易に整合するように、楔体の厚さおよび楔体のスリットの距離を設定することができる。
【００５５】
すなわち、楔体の厚さが薄く且つスリットが長ければ、楔体の小径端部が湾曲し易くなり、一方、肉厚な大径端部はスリットによって湾曲し易い。
【００５６】
これにより、全体として外筒の内周面に形状が容易に整合するロープ用定着装置を得ることができる。
【００５７】
本発明は、ロープ材の長さ方向に対して傾斜するように、スリットを設けることができる。
【００５８】
本発明によれば、摺動時にはロープ材の鋼線はロープ材の長さ方向に平行に移動するので、スリットに入り込んで係止されることを防止することができる。
【発明を実施するための最良の形態】
【００５９】
以下、添付図面を参照して、本発明の実施形態を説明する。
【００６０】
図１は、本発明の１実施形態によるロープ用定着装置を分解して示した斜視図である。
【００６１】
図１に示すように、本実施形態のロープ用定着装置１は、外筒２と、楔体３と、封止部材４とを有している。符号５はロープ材を示している。
【００６２】
外筒２は、図１において一部切断されて示されているが、底壁６と周壁７とを有している。
【００６３】
底壁６は、ロープ材を５挿通させる開口部８を有している。
【００６４】
周壁７は、筒状の形態を有し、底壁６に一端が接続され、内周面にロート状傾斜面９と係合部１０と有している。なお、係合部１０は、図１の例ではねじ部になっているが、ねじ部である必要はなく、当業者が適宜なし得る任意の係合構造でよい。
【００６５】
底壁の開口部８と周壁のロート状傾斜面９の接続部には段部が形成され、楔体３の係止部１８になっている。
【００６６】
楔体３は、内周面がロープ材５を収容可能な凹面１１になっており、外周面が外筒のロート状傾斜面９と傾斜がほぼ整合するテーパー状のテーパー面１２になっている。
【００６７】
楔体３は、ロープ材５の長さ方向に平行な方向にスリット１３を有している。
【００６８】
さらに、楔体３は、大径側の端部の内周面が、大径側端に向かって内径が拡開する円弧面１４になっている。
【００６９】
楔体３は、本実施形態では、２つの部材に分割されているが、一つの部材からなっていてもよいし、三つ以上の部材からなっていてもよい。
【００７０】
スリット１３は、楔体３の大径側端から小径側端に向かって所定距離形成され、楔体３の小径側端部は平滑な環状内周面１１ａを有している、
封止部材４は、外筒２の周壁の係合部１０と係合する係合部１５と、楔体３の脱落を防止し、外筒２の内部に楔体３を封止するための封止部１６とを有している。
【００７１】
図１の例では、封止部材４は、頭部にナット状部分を有し、係合部１５を外筒の係合部１０に螺入できるようになっている。
【００７２】
封止部材４はロープ材を挿通させる貫通孔１７を有している。該貫通孔１７は、前記ナット状部分と封止部１６とを貫通している。本実施形態では、貫通孔１７はナット状部分と封止部１６の部分で内径が異なるが、同一の内径でももちろんよい。
【００７３】
図２は、ロープ材５にロープ用定着装置１を取り付けて組み立てた状態の縦断面図を示している。
【００７４】
ロープ用定着装置１を取り付けるには、外筒の底壁の開口部８にロープ材５を挿通させ、ロープ材５と外筒の周壁のロート状傾斜面９の間に楔体３を挿入し、ジャッキ等の手段を用いて楔体３を外筒のロート状傾斜面９の小径側に向かって所定距離圧入する。
【００７５】
楔体３のテーパー面１２が外筒２のロート状傾斜面９と傾斜が整合していることにより、楔体３が外筒２の内部に進入するにつれて、楔体３はロープ材５の中心に向かって移動し、ロープ材５を挟着し把持する。
【００７６】
楔体３の外筒２の内部への進入距離によってロープ材５を挟着し把持する力が決定される。
【００７７】
なお、楔体３が外筒２の内部に進入する際には、スリット１３が狭まり、楔体３が外筒のロート状傾斜面９の形状変化に追従して変形し、ロープ材５を外側から均等な圧縮力でロープ材５を挟着し把持することができる。
【００７８】
図２においては、封止部材４を取り付けた状態で楔体３の下端と外筒２の係止部１８の間に余裕があるが、圧入が完了し封止部材４を取り付けた状態で、楔体３の下端が外筒２の係止部１８に当接し且つ楔体３の上端が封止部材４の封止部１６の下端に当接するようにロープ用定着装置１を設計してもよい。
【００７９】
次に、ロープ用定着装置１の作用について説明する。
【００８０】
ロープ材５にロープ用定着装置１を装着した状態で、ロープ材５は楔体３から一定の圧縮力を受けて把持される。
【００８１】
今、ロープ材５にロープ用定着装置１の最初の把持力以上の張力が働いたときに、ロープ材５がロープ用定着装置１に対して移動するようになる。
【００８２】
本発明は、このような状態で一定の摩擦力を生じさせながらロープ材５をスムーズに摺動させる技術に関するものである。
【００８３】
以下に、ロープ材５が摺動するときの楔体３の作用について説明する。
【００８４】
図３は、楔体３とロープ材５の鋼線の関係を示している。
【００８５】
ロープ材５は、小さい直径の鋼線を所定本数一方向に撚り合わせて中程度の直径の鋼線の束を形成し、次に該鋼線の束を複数本反対方向に撚り合わせてロープに形成したものである。
【００８６】
ロープ材５の外周部分には鋼線がロープ材５の長さ方向と平行に多数露出して配列している（図３においては簡略化して一部のみ示している）。
【００８７】
ロープ材５の外側に図３に示すように楔体３を装着すると、ロープ材５の鋼線は楔体３のスリット１３と平行になる。
【００８８】
今、ロープ材５が楔体３に対して摺動すると、鋼線は楔体３の大径側端部の周縁部に対して垂直に擦過しながら楔体３の内部に入る。また、楔体３の内部では鋼線は楔体３のスリット１３と平行に入り込みやすい状態で移動する。
【００８９】
図４は、ロープ材５が摺動中の楔体３の作用を説明的に示したものである。
【００９０】
ロープ材５は楔体３によって外周から圧縮されながら移動するので、楔体３の内部に入る前の部分では鋼線が若干浮き上がるようになる（ロープ材５が多少膨らむようになる）。
【００９１】
本発明の楔体３によれば、楔体３の大径側端部の内周面が円弧面１４になっていることにより、多少膨らんだロープ材５の鋼線が円弧面１４によって案内されてスムーズに楔体３の内部に進入することができる。図４の右側の矢印は楔体３の内部に進入するときの鋼線が受ける力を示している。円弧面１４の案内によって、ロープ材の鋼線が楔体の内部に進入する際に、鋼線が楔体進入口の内周縁に引っかかって破断することが防止される。
【００９２】
また、楔体３内部で摺動中のロープ材５は、楔体３から圧縮力を受けるため、鋼線がわずかな隙間を求めてスリット１３の間にも入り込むようになる。
【００９３】
本発明の楔体３によれば、ロープ材５がもっとも圧縮を受ける楔体３の小径側端部で、楔体３の内周面が平滑な環状内周面１１ａに形成されているため、その部分で鋼線がスリットに引っかかることを防止することができる。
【００９４】
また、環状内周面１１ａは、その上流部分でスリット１３の間に入り込んだ鋼線をスリット１３から脱出させ、鋼線がスリットに引っかかることを防止することができる。図４の左側の矢印は環状内周面１１ａによって鋼線が受ける力を示している。
【００９５】
このように、本発明によれば、ロープ材５が楔体３に対して摺動するときに、楔体３の入口と出口の部分で、楔体３がロープ材５を縮径するように案内し、浮き上がった鋼線が楔体３の一部（大径側端の内縁部あるいはスリット等）に引っかかることを防止することができる。
【００９６】
次に本発明の他の特徴について説明する。
【００９７】
図５は、ロープ材５に外筒２と楔体３を装着し、封止部材４を外筒２に取り付けた状態の縦断面図を示している。
【００９８】
なお、図５では、楔体３の下端と係止部１８の間に余裕があるが、好ましくは楔体３を完全に圧入した時は楔体３の下端が係止部１８とほぼ当接するようにすることができる。
【００９９】
図６は、図５の矢印Ａ−Ａ方向に見たロープ用定着装置１とロープ材５の横断面図を示している。
【０１００】
ロープ材５は前述した通り多数の鋼線５ａを撚り合わせたものであるが、図６においてはロープ材５の最外周の鋼線５ａのみを示している。
【０１０１】
本実施形態によれば、楔体３を完全に圧入したときは、楔体３が外筒２の内部に進入し、図６に示すように楔体３のスリット１３が窄まり、それらの隙間がロープ材５の鋼線５ａの直径以下に狭まるように設定されている。
【０１０２】
これにより、鋼線５ａはそもそも楔体３のスリット１３の内部に入り込むことができなくなり、鋼線５ａが楔体のスリット１３に引っかかって断裂あるいは停止することを防止することができる。
【０１０３】
楔体のスリット１３の隙間がロープ材の鋼線５ａの直径以下に狭まる場所は、スリット１３の長さ方向の大部分にわたるようにしてもよいが、少なくとも楔体３の大径側端部において楔体のスリット１３の隙間がロープ材の鋼線５ａの直径以下に狭まるようにするのが好ましい。
【０１０４】
楔体３の大径側端部において楔体のスリット１３の隙間がロープ材の鋼線５ａの直径以下に狭まれば、鋼線５ａがスリット１３に入り込む初期状態が回避され、鋼線５ａがスリット１３に引っかかる可能性を大幅に減少させることができる。
【０１０５】
次に係止部１８の作用効果について以下に説明する。
【０１０６】
本実施形態では、底壁の開口部８と周壁のロート状傾斜面９の接続部には段部が形成され、楔体３の係止部１８になっている。
【０１０７】
係止部１８は、楔体３を係止することができる段部になっていればよく、外筒２の周壁のロート状傾斜面９の一部、あるいは外筒２の底壁の開口部８のいずれかの部分、あるいは外筒周壁のロート状傾斜面９と外筒底壁の開口部８の交差部のいずれに形成してもよい。
【０１０８】
係止部１８は、ロープ材５に対する楔体３の圧縮力を制御することができる。
【０１０９】
係止部１８によってロープ材５に対する楔体３の圧縮力を制御するためには、楔体３の下端が係止部１８と係合するまで楔体３を圧入した時に、楔体３のロープ材５に対する圧縮力が所定の値になるように、楔体係止部１８の高さ、すなわち係止部１８のロープ材軸方向と平行な方向の厚さ、あるいは係止部１８の外筒２に対する位置を予め設計しておけばよい。
【０１１０】
むろんこの場合は、楔体３の装着時に楔体３の下端が係止部１８と係合するまで楔体３を圧入する。  また、係止部１８は、その高さや厚さや位置を決定することにより、装着時に楔体３の下端が係止部１８と係合していない場合でも、ロープ材５が摺動すると、ロープ材５の摺動にしたがって楔体３が外筒２の内部に進入して係止部１８と係合し、楔体３が所定の力でロープ材５を把持し、ロープ材５を一定の摩擦抵抗で摺動させることができる。
【０１１１】
上記摩擦抵抗をロープ材５の破断強度以下になるように設定することにより、仮に係止部１８が存在しない場合に楔体３による圧縮が無制限に増大してロープ材５の破断に至ることを防止することができる。
【０１１２】
封止部材４は、楔体３の脱落を防止する作用を奏する。
【０１１３】
本発明の封止部材４は、楔体３を外筒２の内部に圧入した後に、外筒２に係合させる。
【０１１４】
封止部材４は、万一ロープ材５が外筒のロート状傾斜面９の大径側に摺動したときに、楔体３の脱落を防止することができる。
【０１１５】
本実施形態の楔体３は、楔体３を外筒２に圧入するときに、楔体３が全体として容易に外筒の内周面に形状整合する作用を奏する。
【０１１６】
すなわち、楔体３の厚さが薄く且つスリット１３が長ければ、楔体３の小径端部が湾曲し易くなり、一方、肉厚な大径端部はスリット１３によって湾曲し易い。
【０１１７】
したがって、楔体３の厚さおよび楔体のスリット１３の距離を適宜設定することにより、全体として外筒２の内周面に形状が容易に整合するロープ用定着装置１を得ることができる。
【０１１８】
上記実施形態では、楔体３の大径側の端部の内周面が、大径側端に向かって内径が拡開する円弧面１４になっているが、円弧面ではなく傾斜面であってもよい。
【０１１９】
また、楔体３の「外周面が概略テーパー状」とは、母線が直線であって外周面が平滑な円錐状になっているもののほか、母線が凹凸を有するが母線の凸部を結ぶと傾斜した直線になっており、全体としてみれば外周面が円錐状になっているものや、外周面にスプライン状の溝が形成されたものを含む意味である。
【０１２０】
母線が凹凸を有するものの例として、たとえば外周面に円環状の突起部を有し、円環状の突起部が外筒の内周面に接するようにしたものがある。
【０１２１】
楔体のテーパー面１２の傾斜が外筒のロート状傾斜面９の傾斜と「ほぼ整合」するとは、楔体の外周面が連続的なテーパー面になっており、外周面全体が外筒周壁のロート状傾斜面に摺動可能に接する場合と、前記楔体の外周面が凹凸を有し、外周面の一部が外筒周壁のロート状傾斜面と摺動可能に接する場合とを含む意味である。
【０１２２】
図７は、本発明の他の実施形態である。
【０１２３】
図７において図４と同一部分については同一の符号を示して重複する説明を省略する。
【０１２４】
図７の楔体３は、スリット１３の内端の端面１３ａと、楔体３の内周面１１との交差部が、傾斜面１９に形成されている。
【０１２５】
スリット１３の内端部の傾斜面１９により、ロープ材５の摺動中に楔体のスリット１３の間に入り込んだ鋼線５ａが、スリット１３の内端でスリット１３から出るときに、スムーズにスリット１３から抜け出ることができる。これにより、鋼線５ａが楔体３の一部と係合して破断に至る可能性を低減することができる。
【０１２６】
図８は、本発明の楔体３の他の実施形態を示している。
【０１２７】
図８において図１と同一部分については同一の符号を示して重複する説明を省略する。
【０１２８】
図８の楔体２０は、内周面がロープ材を収容可能な凹面２１になっており、外周面が図示しない外筒のロート状傾斜面と傾斜がほぼ整合するテーパー面２２になっている。
【０１２９】
楔体２０のスリットは、楔体２０の大径側端から小径側端に向かって開設されたスリット２３と、楔体の小径側端から大径側端に向かって開設されたスリット２４が、周方向に所定の間隔をおいて設けられている。
【０１３０】
楔体２０の大径側の端部の内周面は、大径側端に向かって内径が拡開する傾斜面２５に形成されている。
【０１３１】
傾斜面２５の代わりに、楔体２０の大径側端に向かって内径が拡開する円弧面としてもよい。
【０１３２】
本実施形態によっても、図４で説明したように、ロープ材が楔体２０に対して摺動中に、楔体２０に進入する前の部分において浮き上がった鋼線を傾斜面２５によって案内し、スムーズに楔体２０の内側に進入させることができる。これによって、鋼線が楔体の一部に引っかかって破断等に至ることを防止し、安定して一定の摩擦力に抗してロープ材を摺動させるロープ用定着装置を得ることができる。
【０１３３】
上記実施形態でもスリット１３，２３がロープ材の長さ方向と平行な方向に設けられているが、スリット１３，２３はロープ材の長さ方向に対して傾斜して設けてもよい。
【０１３４】
ロープ材の長さ方向に対して傾斜してスリット１３，２３を設けることにより、ロープ材の鋼線の移動方向がスリット１３，２３と交差するようになり、ロープ材の鋼線がスリット１３，２３に入り込んで係合することを防止することができる。
【図面の簡単な説明】
【０１３５】
【図１】本発明の一実施形態によるロープ用定着装置を分解して一部切断して示した斜視図。
【図２】本発明の一実施形態によるロープ用定着装置の取り付け状態を示した縦断面図。
【図３】本発明の楔体とロープ材の鋼線の関係を示した説明図。
【図４】本発明の楔体の作用を説明した説明図。
【図５】本発明の他の実施形態によるロープ用定着装置の縦断面図。
【図６】本発明の他の実施形態によるロープ用定着装置の横断面図。
【図７】本発明の他の実施形態による楔体を示した断面図。
【図８】本発明の他の実施形態による楔体を示した斜視図。
【符号の説明】
【０１３６】
１  ロープ用定着装置
２  外筒
３  楔体
４  封止部材
５  ロープ材
５ａ  鋼線
６  底壁
７  周壁
８  開口部
９  ロート状傾斜面
１０  係合部
１１  凹面
１１ａ  環状内周面
１２  テーパー面
１３  スリット
１３ａ  スリットの内端の端面
１４  円弧面
１５  係合部
１６  封止部
１７  貫通孔
１８  係止部
１９  傾斜面
２０  楔体
２１  凹面
２２  テーパー面
２３  スリット
２４  スリット
２５  傾斜面
【図１】
2006336705.tif 000003
【図２】
2006336705.tif 000004
【図３】
2006336705.tif 000005
【図４】
2006336705.tif 000006
【図５】
2006336705.tif 000007
【図６】
2006336705.tif 000008
【図７】
2006336705.tif 000009
【図８】
2006336705.tif 000010